(57)【要約】【課題】強風時における腕金取り付けバンドの緩みの発生を防止する。【解決手段】コンクリート柱１０１は、上柱部１１０と下柱部１２０とを有する。下柱部１２０には上端から下端に向かって太くなるようにテーパが付けられているが、上柱部１１０にはテーパが付けられていない。上柱部１１０にバンド状の当て金具（腕金取り付けバンド）２１１を固定した場合、この当て金具２１１の上部と上柱部１１０の外面との間に、従来のテーパ付きコンクリート柱を使用した場合のような、微妙なスペースはできない。上柱部１１０および下柱部１２０を別体として形成し、上柱部１１０の下端および下柱部１２０の上端を、フランジ部１１１，１２１を用いて継ぎ合わせるものとし、製造を容易とする。上柱部１１０に、バンド状の当て金具２１１の固定位置に対応して、当該当て金具２１１の下方への滑りを阻止する突条１１４を形成する。【選択図】図５
2008095456.tif 000002
【特許請求の範囲】
【請求項１】
テーパが付けられていない上柱部と、
上端が上記上柱部の下端に接続され、下端に向かって太くなるようにテーパが付けられている下柱部と
を有することを特徴とする電柱。
【請求項２】
上記電柱はコンクリート柱であり、
上記上柱部および上記下柱部は別体として形成され、
上記上柱部の下端および上記下柱部の上端を継ぐための継手部をさらに有する
ことを特徴とする請求項１に記載の電柱。
【請求項３】
上記上柱部は、腕金取り付けバンドの固定位置に対応して、該腕金取り付けバンドの下方への滑りを阻止する滑り止め部を備える
ことを特徴とする請求項１に記載の電柱。
【発明の詳細な説明】
【技術分野】
【０００１】
この発明は、電線を支持するコンクリート柱などの電柱に関する。
【背景技術】
【０００２】
図６および図７は、コンクリート柱２０１を用いた低圧配電の配電柱部分の構成を示している。コンクリート柱２０１は、内部が空洞となった、筒状の構造となっている。また、このコンクリート柱２０１は、上端の径が下端の径より小さくされ、下端から上端に向かって細くなるように、１／７５，１／１１０等のテーパが付けられている。このようにコンクリート柱２０１にテーパを付けることで、軽量化が可能となり、また上端側における風の影響を軽減することが可能となる。コンクリート柱のテーパに関しては、例えば特許文献１等に記載されている。
【０００３】
コンクリート柱２０１の上部には腕金２０２が取り付けられている。腕金取り付けバンドとしてのバンド状の当て金具２１１、一対のボルト２１２、および一対のナット２１３を用いることで、腕金２０２がコンクリート柱２０１に固定される。当て金具２１１は、コンクリート柱２０１の周方向に所定角範囲だけ巻き付けた状態で当該コンクリート柱２１１に当接される当接部２１１ａと、この当接部２１１ａの周方向の両端に連接され、それぞれボルトを通すためのボルト挿通孔（図示せず）が穿設されている一対の延長部２１１ｂを有している。
【０００４】
この場合、コンクリート柱２０１の腕金２０２が当接されている側とは反対側に当接部２１１ａが当接するように当て金具２１１を配置し、一対のボルト２１２を、それぞれ、この当て金具２１１の一対の延長部２１１ｂのボルト挿通孔および腕金２０２のボルト挿通孔２０２ａに順に通し、その後これら一対のボルト２１２の腕金２０２から突出したネジ部２１２ａにナット２１３を螺合することで、腕金２０２がコンクリート柱２０１に固定される。なお、腕金２０２とナット２０４との間にワッシャ２０７が介在されている。
【０００５】
コンクリート柱２０１に取り付けられた腕金２０２には、低圧引留碍子２０５が固定されている。この低圧引留碍子２０５に、架線としての低圧配電線路Ｗが支持されている。図示の例は、単相三線式の配電線路を示している。なお、コンクリート柱２０１の頂部には、内部に雨水等が侵入しないように、電柱保護用のキャップ２０６が装着されている。
【特許文献１】特開２００５−１９４７６８号公報
【発明の開示】
【発明が解決しようとする課題】
【０００６】
腕金２０２は、上述したように、コンクリート柱２０１の上部に、バンド状の当て金具２１１を用いて取り付けられている。この場合、コンクリート柱２０１の上述したテーパの影響により、当て金具２１１の上部とコンクリート柱２０１の外面との間には微妙なスペースができている。
【０００７】
コンクリート柱２０１の上部、この上部に取り付けられた腕金２０２、さらにはこの腕金２０２に支持された配電線路Ｗは、常に、風の影響を受けて揺れている。特に、台風等の強風時には、配電線路Ｗが上部に持ち上げられる格好となり、その影響で腕金２０２が上方へ持ち上げられた状態となる。そうした場合、当て金具２１１が緩み、腕金２０２の脱落などの問題が発生するケースが多々ある。
【０００８】
この発明の目的は、腕金取り付けバンドの緩みの発生を防止する電柱を提供することにある。
【課題を解決するための手段】
【０００９】
この発明の概念は、
テーパが付けられていない上柱部と、
上端が上記上柱部の下端に接続され、下端に向かって太くなるようにテーパが付けられている下柱部と
を有することを特徴とする電柱にある。
【００１０】
この発明の電柱は、上部に配置される上柱部と、下部に配置される下柱部とから構成されている。下柱部には上端から下端に向かって太くなるようにテーパが付けられているが、上柱部にはテーパが付けられていない。そのため、例えば、この上柱部に腕金取り付けバンドが固定された場合、この腕金取り付けバンドの上部と上柱部の外面との間に、従来のような、微妙なスペースはできない。したがって、台風等の強風時に、配電線路が上部に持ち上げられる格好となっても、腕金が上方へ持ち上げられて腕金取り付けバンドが緩むということがなくなる。
【００１１】
例えば、電柱はコンクリート柱であり、上柱部および下柱部は別体として形成される。そして、上柱部の下端および下柱部の上端は、継手部により継ぎ合わせられる。コンクリート柱は高張力で鉄筋（鋼線）を張った状態で製造されるため、途中でテーパを変更するコンクリート柱の製造は困難となる。上柱部および下柱部は別体として製造することで、この発明の電柱の製造を容易に行い得る。
【００１２】
例えば、上柱部は、腕金取り付けバンドの固定位置に対応して、この腕金取り付けバンドの下方への滑りを阻止する滑り止め部を備えるものとされる。この滑り止め部は、突条、複数の突起等によって構成される。上述したように上柱部にはテーパが付けられていないことから、この上柱部に固定される腕金取り付けバンドは下方に滑り落ちやすくなる。上柱部に滑り止め部を備える構成とすることで、テーパが付けられていなくても、腕金取り付けバンドの下方への滑りが阻止される。なお、この場合、この滑り止め部に、腕金取り付けバンドの固定位置を示す機能をさらに持たせてもよい。
【発明の効果】
【００１３】
この発明によれば、上柱部に固定される腕金取り付けバンドの緩みの発生を防止できる。
【発明を実施するための最良の形態】
【００１４】
以下、図面を参照しながら、この発明の実施の形態について説明する。図１および図２Ａは、実施の形態としてのコンクリート柱１０１の構成を示している。
【００１５】
このコンクリート柱１０１は、上柱部１１０と、下柱部１２０とを有している。上柱部１１０には、テーパは付けられていない。つまり、上柱部１１０は、その上端から下端まで、同じ径で形成されている。下柱部１２０には、上端から下端に向かって太くなるようにテーパが付けられている。つまり、下柱部１２０は、その下端の径は上端の径より大きくされている。
【００１６】
コンクリート柱１０１は、上柱部１１０の下端に、下柱部１２０の上端が接続されて構成されている。この実施の形態においては、上柱部１１０と下柱部１２０は別体として形成され、上柱部１１０の下端に一体的に設けられたフランジ部１１１と、下柱部１２０の上端に一体的に設けられたフランジ部１２１とが、ボルト１３１およびナット１３２を用いて接合されることで１本のコンクリート柱１０１が得られる。ここで、フランジ部１１１，１２１は、上柱部１１０の下端および下柱部１２０の上端を継ぐための継手部を構成している。
【００１７】
コンクリート柱１０１を構成する上柱部１１０には、腕金取り付けバンドの固定位置に対応して、当該腕金取り付けバンドの下方への滑りを阻止する突条１１４が、上柱部１１０と一体的に形成されている。この突条１１４は、基本的には上柱部１１０の外周に沿うように形成されるが、腕金の取り付け位置に対応した部分（矢印Ｐで示す）については、腕金の取り付けの邪魔になるので切り欠かれている。この突条１１４は、滑り止め部を構成している。
【００１８】
なお、この滑り止め部は、上述の突条１１４に限定されるものではなく、例えば、図２Ｂに示すように、所定角間隔をもって設けた複数個の突起１１５により構成し、あるいは
図示しないが、上柱部１１０の腕金取り付けバンドの固定位置に貫通孔を設け、この貫通孔を利用して滑り止め用のボルトを固定する構成も考えられる。
【００１９】
図３は、上柱部１１０と下柱部１２０の接合部分の詳細構造を示している。上柱部１１０はコンクリート１４１ｕにより筒状に形成されている。このコンクリート１４１ｕの内部には鉄筋としての鋼線１４２ｕが配されている。上柱部１１０の下端にはフランジ部１１１を構成する鋼板１４３ｕが配される。上述のコンクリート１４１ｕの内部に配された、上柱部１１０の長手方向に伸びる鋼線１４２ｕの下端側は、鋼板１４３ｕを貫通し、しかもその頭部がつぶされた状態とされ、鋼板１４３ｕに固定されている。このように鋼板１４３ｕに固定される鋼線１４２ｕは、コンクリート１４１ｕ側、つまり上方に張力が働いている。
【００２０】
下柱部１２０についても、上述した上柱部１１０と同様に構成されている。すなわち、下柱部１２０はコンクリート１４１ｄにより筒状に形成されている。このコンクリート１４１ｄの内部には鉄筋としての鋼線１４２ｄが配されている。下柱部１２０の下端にはフランジ部１２１を構成する鋼板１４３ｄが配される。上述のコンクリート１４１ｄの内部に配された、下柱部１２０の長手方向に伸びる鋼線１４２ｄの上端側は、鋼板１４３ｄを貫通し、しかもその頭部がつぶされた状態とされ、鋼板１４３ｄに固定されている。このように鋼板１４３ｄに固定される鋼線１４２ｄは、コンクリート１４１ｄ側、つまり下方に張力が働いている。
【００２１】
なお、上述の図１、図２には示していないが、上柱部１１０の下端側外周には、当該上柱部１１０の下端のコンクリート部分を補強するために補強バンド１４４ｕが巻装されており、同様に、下柱部１２０の上端側外周には、当該下柱部１２０の上端のコンクリート部分を補強するための補強バンド１４４ｄが巻装されている。
【００２２】
図４および図５は、上述したコンクリート柱１０１を用いた低圧配電の配電柱部分の構成を示している。この図４および図５において、図６および図７と対応する部分には同一符号を付し、適宜、その詳細説明は省略する。
【００２３】
コンクリート柱１０１の上柱部１１０には腕金２０２が取り付けられている。腕金取り付けバンドとしてのバンド状の当て金具２１１、一対のボルト２１２、および一対のナット２１３を用いることで、腕金２０２がコンクリート柱１０１に固定される。この場合、バンド状の当て金具２１１の下側端が、上柱部１１０に設けられている突条１１４に当接される。
【００２４】
コンクリート柱１０１に取り付けられた腕金２０２には、低圧引留碍子２０５が固定されている。この低圧引留碍子２０５に、架線としての低圧配電線路Ｗが支持されている。コンクリート柱１０１の頂部には、内部に雨水等が侵入しないように、電柱保護用のキャップ２０６が装着されている。
【００２５】
図１および図２に示すコンクリート柱１０１においては、上柱部１１０と下柱部１２０とから構成されており、下柱部１２０には上端から下端に向かって太くなるようにテーパが付けられているが、上柱部１１０にはテーパが付けられていない。そのため、この上柱部１１０にバンド状の当て金具（腕金取り付けバンド）２１１を固定した場合（図４，図５参照）、この当て金具２１１の上部と上柱部１１０の外面との間に、従来のコンクリート柱２０１を用いた場合（図６、図７参照）のような、微妙なスペースはできない。したがって、コンクリート柱１０１を用いることで、台風等の強風時に、配電線路Ｗが上部に持ち上げられる格好となっても、腕金２０２が上方へ持ち上げられて当て金具２１１が緩むということがなくなり、腕金２０２の脱落などの問題を低減できる。
【００２６】
また、図１および図２に示すコンクリート柱１０１においては、上柱部１１０および下柱部１２０は別体として形成され、上柱部１１０の下端および下柱部１２０の上端がフランジ部１１１，１２１を用いて継ぎ合わせられた構成となっている。コンクリート柱は高張力で鉄筋（鋼線）を張った状態で製造を行うため、途中でテーパを変更するコンクリート柱の製造は困難となる。そのため、上柱部１１０および下柱部１２０を別体として製造するコンクリート柱１０１は、製造を容易に行うことができる。
【００２７】
また、図１および図２に示すコンクリート柱１０１においては、上柱部１１０に、腕金取り付けバンドの固定位置に対応して、この腕金取り付けバンドの下方への滑りを阻止する突条１１４が形成されている。そのため、上柱部１１０にバンド状の当て金具（腕金取り付けバンド）２１１を固定する際に、当て金具２１１の下側端をこの突条１１４に当接させることで、当て金具２１１、従って腕金２０２の下方への滑りを阻止できる。また、上柱部１１０にバンド状の当て金具（腕金取り付けバンド）２１１を固定する際に、作業者は、この突条１１４により当該当て金具２１１の取り付け位置を知ることができ、当て金具２１１を使用した腕金２０２の取り付け作業を効率的に行うことができる。
【００２８】
なお、上述実施の形態は、この発明をコンクリート柱１０１に適用したものであるが、この発明は、他の種類の電柱、例えば鋼管柱などにも適用できることは勿論である。
【産業上の利用可能性】
【００２９】
この発明は、強風時における腕金取り付けバンドの緩みの発生を防止できるものであり、例えば風の強い場所に使用する電柱等に適用して有効なものとなる。
【図面の簡単な説明】
【００３０】
【図１】実施の形態としてのコンクリート柱の構成を示す側面図である。
【図２】実施の形態としてのコンクリート柱の構成を示す一部を省略した斜視図である。
【図３】上柱部と下柱部の接合部分の詳細構成を示す一部を截断した側面図である。
【図４】実施の形態としてのコンクリート柱を用いた低圧配電の配電柱部分の構成を示す側面図である。
【図５】実施の形態としてのコンクリート柱を用いた低圧配電の配電柱部分の構成を示す一部を省略した斜視図である。
【図６】従来のコンクリート柱を用いた低圧配電の配電柱部分の構成を示す側面図である。
【図７】従来のコンクリート柱を用いた低圧配電の配電柱部分の構成を示す一部を省略した斜視図である。
【符号の説明】
【００３１】
１０１・・・コンクリート柱、１１０・・・上柱部、１１１・・・フランジ部、１１４・・・突条、１１５・・・突起、１２０・・・下柱部、１２１・・・フランジ部、１３１・・・ボルト、１３２・・・ナット、１４１ｕ，１４１ｄ・・・コンクリート、１４２ｕ，１４２ｄ・・・鋼線、１４３ｕ，１４３ｄ・・・鋼板、１４４ｕ，１４４ｄ・・・補強バンド
【図１】
2008095456.tif 000003
【図２】
2008095456.tif 000004
【図３】
2008095456.tif 000005
【図４】
2008095456.tif 000006
【図５】
2008095456.tif 000007
【図６】
2008095456.tif 000008
【図７】
2008095456.tif 000009